(57)【特許請求の範囲】
【請求項１】
無線通信のための方法であって、
受信機がワイヤレスチャネルを介して通信される１つのデータストリームを受信することと、
復調器が前記データストリームの送信ビットの第１の外部対数尤度比（ＬＬＲ）のセットを取得するため前記データストリームの送信ビットの第１の優先的対数尤度比（ＬＬＲ）のセットと、前記データストリームから得られた白色化データストリームと、チャネル行列のエンティティとを使用して前記データストリームを復調することと、
第１のプロセッサが復号のために第２の優先的ＬＬＲのセットを取得するため前記第１の外部ＬＬＲのセットを処理することと、
復号器が前記データストリームの前記送信ビットの第２の外部ＬＬＲのセットを取得するため前記第２の優先的ＬＬＲのセットを復号することと、
第２のプロセッサが次の復調のために第３の優先的ＬＬＲのセットを取得するため前記第２の外部ＬＬＲのセットを処理することと、
を備え、
前記受信機と、前記復調器と、前記第１のプロセッサと、前記復号器と、前記第２のプロセッサとが復調アーチテクチャに対応し、前記復調アーチテクチャが多重入力多重出力（ＭＩＭＯ）データストリーム及び単入力単出力データストリームを処理するように構成される、方法。
【請求項２】
前記第１の外部ＬＬＲのセットを処理することは前記第１の外部ＬＬＲのセットを逆レートマッチングすることを含み、前記第２の外部ＬＬＲのセットを含む、請求項１に記載の方法。
【請求項３】
前記データストリームを受信することは、少なくとも２つのアンテナからの少なくとも２つの異なるデータストリームを受信することを備え、前記少なくとも２つの異なるデータストリームからの各データストリームは、異なる受信アンテナを使用して受信される、請求項１に記載の方法。
【請求項４】
前記第２の優先的ＬＬＲのセットを復号することは、前記少なくとも２つの異なるデータストリームに対応する優先的ＬＬＲの並列復号を含む、請求項３に記載の方法。
【請求項５】
前記データストリームを受信することは、少なくとも２つの受信アンテナを使用して１つのデータストリームを受信することを含む、請求項１に記載の方法。
【請求項６】
白色化データストリームを取得するために前記データストリームを白色化することをさらに備える、請求項１に記載の方法。
【請求項７】
前記チャネルマトリックスの前記エンティティは前記チャネル行列の列に含まれる、請求項６に記載の方法。
【請求項８】
前記データストリームを受信することは、少なくとも１つの受信アンテナを使用して１つのデータストリームを受信することを備える、請求項１に記載の方法。
【請求項９】
各受信アンテナにおいて、前記受信された少なくとも１つのデータストリームを白色化して、白色化データストリームを取得することをさらに備える、請求項８に記載の方法。
【請求項１０】
前記第２の優先的ＬＬＲのセットを復号することは、ターボ復号に基づいて前記第２の優先的ＬＬＲのセットを復号することを含む、請求項１に記載の方法。
【請求項１１】
前記第２の優先的ＬＬＲのセットを復号した後に、前記送信ビットのシステマティックビットに関連したＬＬＲと、パリティビットに関連したＬＬＲとを、前記第２の外部ＬＬＲのセットから抽出することと、
前記システマティックビットに関連した抽出された前記ＬＬＲを使用して、前記復調のために前記第１の優先的ＬＬＲのセットを更新することをさらに備える、請求項１０に記載の方法。
【請求項１２】
前記データストリームは第１のデータストリームと第２のデータストリームを含み、前記データストリームを復調することは、
前記第２のデータストリームからの干渉を含まない信号と、前記第１の優先的ＬＬＲのセットとを利用して、前記第１のデータストリームのシンボルを、Ｍａｘ−Ｌｏｇ ＭＡＰ（ＭＬＭ）アルゴリズムに基づいて推定することと、
前記送信ビットの推定値を、前記推定シンボルに基づいて取得することと、
を備える、請求項１に記載の方法。
【請求項１３】
前記データストリームは第１のデータストリームと第２のデータストリームを含み、前記データストリームを復調することは、
前記第２のデータストリームについての仮説を利用して、前記第１のデータストリームのソフトシンボルを、線形最低二乗平均誤差（ＬＭＭＳＥ）アルゴリズムのバージョンに基づいて推定することと、
前記送信ビットの推定値を取得するため前記第１のデータストリームの推定ソフトシンボルをスライシングすることと、
を備え、
前記ＬＭＭＳＥアルゴリズムのバージョンは、前記推定ソフトシンボルのガウス分布に基づいている、請求項１に記載の方法。
【請求項１４】
前記復調と前記復号との間の反復の回数を、前記データストリームの送信ビットの数に基づいて調整することをさらに備える、請求項１に記載の方法。
【請求項１５】
前記復号の反復の回数を、前記少なくとも１つのデータストリームの送信ビットの数に基づいて調整することをさらに備える、請求項１に記載の方法。
【請求項１６】
無線通信のための装置であって、
ワイヤレスチャネルを介して通信されるデータストリームを受信するように構成された受信機と、
前記少なくとも１つのデータストリームの送信ビットの第１の外部対数尤度比（ＬＬＲ）のセットを取得するため前記データストリームの送信ビットの第１の優先的対数尤度比（ＬＬＲ）のセットと前記データストリームから得られる白色化データストリームと、チャネル行列のエンティティとを使用して前記少なくとも１つのデータストリームを復調するように構成された復調器と、
第２の優先的ＬＬＲのセットを取得するため前記第１の外部ＬＬＲのセットを処理するように構成された第１のプロセッサと、
前記データストリームの前記送信ビットの第２の外部ＬＬＲのセットを取得するため前記第２の優先的ＬＬＲのセットを復号するように構成された復号器と、
次の復調のための第３の優先的ＬＬＲのセットを取得する前記第２の外部ＬＬＲのセットを処理するように構成された第２のプロセッサと、
を備え、前記受信機と、前記復調器と、前記第１のプロセッサと、前記復号器と、前記第２のプロセッサとが復調アーチテクチャに対応し、前記復調アーチテクチャが多重入力多重出力（ＭＩＭＯ）データストリーム及び単入力単出力データストリームを処理するように構成される、装置。
【請求項１７】
前記第１のプロセッサは、前記第１の外部ＬＬＲのセット逆レートマッチングするように構成された回路を備え、前記第２のプロセッサは、前記第２の外部ＬＬＲのセットをレートマッチングするように構成された回路を含む、請求項１７に記載の装置。
【請求項１８】
前記受信機は、少なくとも２つのアンテナから送信される少なくとも２つの異なるデータストリームを受信するように構成された回路を含み、前記少なくとも２つの異なるデータストリームの各データストリームは、異なる受信アンテナを使用して受信される、請求項１６に記載の装置。
【請求項１９】
前記復号器は、前記少なくとも２つの異なるデータストリームに対応する前記優先的ＬＬＲの並列復号を実行するように構成された回路を含む、請求項１８に記載の装置。
【請求項２０】
前記受信機は、少なくとも２つの受信アンテナを使用して特定のデータストリームを受信するように構成された回路を含む、請求項１６に記載の装置。
【請求項２１】
白色化データストリームを取得するため前記受信されたデータストリームを白色化するように構成された白色化回路をさらに備える、請求項１６に記載の装置。
【請求項２２】
前記チャネル行列の前記エンティティは前記チャネル行列の列に含まれる、請求項１６に記載の装置。
【請求項２３】
前記受信機は、少なくとも１つの受信アンテナを使用して特定のデータストリームを受信するように構成された回路を備える、請求項１６に記載の装置。
【請求項２４】
各受信アンテナにおいて白色化データストリームを取得するため前記受信された少なくとも１つのデータストリームを白色化するように構成された白色化回路をさらに備える、請求項２３に記載の装置。
【請求項２５】
前記復調するように構成された復調器は、前記第１の優先的対数尤度比（ＬＬＲ）のセットの一部、前記白色化データストリーム、および、前記チャネル行列のエントリを使用して復調するように構成された回路を備える、請求項２４に記載の装置。
【請求項２６】
前記復号器は、ターボ復号に基づいて前記第２の優先ＬＬＲのセットを復号するように構成された回路を含む、請求項１７に記載の装置。
【請求項２７】
前記復号器が前記第２の優先ＬＬＲのセットを復号した後に、前記送信ビットのシステマティックビットに関連したＬＬＲと、前記送信ビットのパリティビットに関連したＬＬＲとを、前記第２の外部ＬＬＲのセットから抽出するように構成された第１の回路と、
次の復調のために前記第１の優先的ＬＬＲのセットを更新するため前記システマティックビットに関連し抽出した前記ＬＬＲを使用するように構成された第２の回路と、
をさらに備える、請求項２６に記載の装置。
【請求項２８】
前記データストリームは第１のデータストリームと第２のデータストリームを含み、前記復調器は、
前記第２のデータストリームからの干渉を含まない信号と、前記第１の優先的ＬＬＲのセットとを利用して、前記第１のデータストリームのシンボルを、Ｍａｘ−Ｌｏｇ ＭＡＰ（ＭＬＭ）アルゴリズムに基づいて推定するよう構成される推定器と、
前記送信ビットの推定値を、前記推定シンボルに基づいて取得するように構成された回路と、
を備える、請求項１６に記載の装置。
【請求項２９】
前記復調器は、
前記第２のデータストリームについての仮説を利用して、前記第１のデータストリームのソフトシンボルを、線形最低二乗平均誤差（ＬＭＭＳＥ）アルゴリズムのバージョンに基づいて推定するように構成された推定器と、
前記送信ビットの推定値を取得するため前記第１のデータストリームの推定された前記ソフトシンボルをスライシングするように構成されたスライサと、
を備え、
前記ＬＭＭＳＥアルゴリズムのバージョンは、推定された前記ソフトシンボルのガウス分布に基づく、請求項１６に記載の装置。
【請求項３０】
前記データストリームの送信ビットの数に基づいて前記復調と復号との間の反復の回数を調整するように構成された回路をさらに備える、請求項１６に記載の装置。
【請求項３１】
復号の反復の回数を、前記データストリームの送信ビットの数に基づいて調整するように構成された回路をさらに備える、請求項１６に記載の装置。
【請求項３２】
無線通信のための装置であって、
受信機がワイヤレスチャネルを介して通信される１つのデータストリームを受信する手段と、
前記データストリームの送信ビットの第１の優先的対数尤度比（ＬＬＲ）のセットと、チャネル行列とを使用して前記少なくとも１つのデータストリームを復調して、前記データストリームの送信ビットの第１の外部対数尤度比（ＬＬＲ）のセットを取得するための手段と、
第２の優先的対数尤度比（ＬＬＲ）のセットを取得するため前記第１の外部ＬＬＲのセットを逆レートマッチングするための手段と、
前記データストリームの前記送信ビットの第２の外部対数尤度比（ＬＬＲ）のセットを取得するため前記第２の優先的ＬＬＲのセットを復号するための手段と、
次の復調のために第３の優先的対数尤度比（ＬＬＲ）のセットを取得するため前記第２の外部ＬＬＲのセットを処理するための手段と  を備え、
前記受信機と、前記復調器と、前記第１のプロセッサと、前記復号器と、前記第２のプロセッサとが復調アーチテクチャに対応し、前記復調アーチテクチャが多重入力多重出力（ＭＩＭＯ）データストリーム及び単入力単出力データストリームを処理するように構成される、装置。
【請求項３３】
コンピュータ可読記憶媒体であって、
プロセッサによって実行されると、前記プロセッサに  ワイヤレスチャネルを介して通信される１つのデータストリームを受信することを受信機に命令すること、
前記データストリームの送信ビットの第１の外部対数尤度比（ＬＬＲ）のセットを取得するため前記データストリームの送信ビットの第１の優先的対数尤度比（ＬＬＲ）のセットと、前記データストリームから得られた白色化データストリームと、チャネル行列のエンティティとを使用して前記データストリームを復調することと、
第２の優先的対数尤度比（ＬＬＲ）のセットを取得するため前記第１の外部ＬＬＲのセットを処理することと、
前記データストリームの前記送信ビットの第２の外部対数尤度比（ＬＬＲ）のセットを取得するため前記第２の優先的対数尤度比（ＬＬＲ）のセットを復号することと、
第２のプロセッサが次の復調のために第３の優先的対数尤度比（ＬＬＲ）のセットを取得するため前記第２の外部ＬＬＲのセットを処理することと、
を実行させるプロセッサ実行可能命令を記憶し、
前記受信機と、前記復調器と、前記第１のプロセッサと、前記復号器と、前記第２のプロセッサとが復調アーチテクチャに対応し、前記復調アーチテクチャが多重入力多重出力（ＭＩＭＯ）データストリーム及び単入力単出力データストリームを処理するように構成される、コンピュータ可読記憶媒体。
【請求項３４】
無線ノードあって、
受信機がワイヤレスチャネルを介して通信される１つのデータストリームを受信するよう構成される受信機と、
前記データストリームの送信ビットの第１の外部対数尤度比（ＬＬＲ）のセットを取得するため前記データストリームの送信ビットの第１の優先的対数尤度比（ＬＬＲ）のセットと、前記データストリームから得られた白色化データストリームと、チャネル行列のエンティティとを使用して前記データストリームを復調するように構成された復調器と、
第１のプロセッサが復号のために第２の優先的対数尤度比（ＬＬＲ）のセットを取得するため前記第１の外部ＬＬＲのセットを処理するように構成された第１のプロセッサと、
前記データストリームの前記送信ビットの第２の外部対数尤度比（ＬＬＲ）のセットを取得するため前記第２の優先的ＬＬＲのセットを復号するように構成された復号器と、
次の復調のために第３の優先的対数尤度比（ＬＬＲ）のセットを取得するため前記第２の外部ＬＬＲのセットを処理するように構成された第２のプロセッサと
を備え、前記受信機と、前記復調器と、前記第１のプロセッサと、前記復号器と、前記第２のプロセッサとが復調アーチテクチャに対応し、前記復調アーチテクチャが多重入力多重出力（ＭＩＭＯ）データストリーム及び単入力単出力データストリームを処理するように構成される、無線ノード。
【請求項３５】
前記受信機と、前記復調器と、前記第１のプロセッサと、前記復号器と、前記第２のプロセッサとが復調システムの構成要素であり、前記復調システムは復調アーチテクチャを有する、請求項１の方法。
【請求項３６】
前記受信機と、前記復調器と、前記第１のプロセッサと、前記復号器と、前記第２のプロセッサとが復調システムの構成要素であり、前記復調システムは復調アーチテクチャを有する、請求項１６の装置。
【請求項３７】
前記ＭＩＭＯデータストリーム及び前記ＳＩＳＯデータストリームを処理ことは、
複数のＭＩＭＯデータストリームに応答して前記チャネル行列の複数の列に対して特定の優先対数尤度比（ＬＬＲ）を定義することと、
単一ＭＩＭＯデータストリームに応答して前記チャネル行列の第１の列に対してであって、前記チャネル行列の第２の列に対してでない前記特定の優先ＬＬＲを定義することと、を含み、前記第３の優先ＬＬＲのセットは特定の優先ＬＬＲを含まない、請求項１に記載の方法。
【発明の詳細な説明】
【技術分野】
【０００１】
（背景）
［分野］
本開示の特定の態様は一般に無線通信に関し、さらに詳細には、多重入力多重出力（ＭＩＭＯ）無線システムとＭＩＭＯ以外の無線システムにおける統一反復復号(unified iterative decoding)のための方法および装置に関する。
【背景技術】
【０００２】
［背景］
現在の復調アーキテクチャは、多重入力多重出力（ＭＩＭＯ）無線システムとＭＩＭＯ以外の無線システムを異なるデータ経路で処理する。例えば、対数尤度比（ＬＬＲ:log-likelihood）マッピングユニットは、典型的に、ＭＩＭＯ以外のシステムの場合に、スカラチャネルを処理するために使用され、シンボル等化（ＳＥＱ:symbol equalization）、結合ＬＬＲ抽出、または、それを簡略化した任意のバージョン（例えば、Ｍａｘ−Ｌｏｇ ＭＡＰ（Max-Log maximum a posteriori）復号）は、ＭＩＭＯチャネルを処理するために用いられる。このようなハードウェア冗長は、実現エリアを無駄にし、計算複雑性を増加させ、無線受信機の電力消費を増加させる。
【０００３】
誤り率性能を向上させるために、受信機において反復復調／復号構造が使用されうる。しかしながら、現在の復調アーキテクチャは、ＭＩＭＯ無線システムと、ＭＩＭＯ以外の無線システムの両方に対して統一反復復号をサポートするわけではない。一方、ハード／ソフト直列干渉キャンセレーション（serial interference cancellation：ＳＩＣ）構造は、反復処理をサポートするが、この特定のスキームは、ＭＩＭＯ無線システムに対してのみ有効である。
【０００４】
ゆえに、当技術分野では、ＭＩＭＯ以外の無線システムおよびＭＩＭＯ無線システムの両方を一律にサポートする統一反復復調構造が必要とされる。
【発明の概要】
【０００５】
特定の態様は、無線通信のための方法を提供する。この方法は、一般的に、少なくとも１つのデータストリームを受信することと、ここで、少なくとも１つのデータストリームの各ストリームは無線チャネルを通して送信されたものであり、少なくとも１つのデータストリームの送信ビットの第１の優先的（a priori）対数尤度比（ＬＬＲ）のセットと、チャネル行列とを使用して少なくとも１つのデータストリームを復調し、少なくとも１つのデータストリームの送信ビットの第１の外部ＬＬＲのセットを取得することと、第１の外部ＬＬＲのセットを処理して、復号のために第２の優先的ＬＬＲのセットを取得することと、第２の優先的ＬＬＲのセットを復号して、少なくとも１つのデータストリームの送信ビットの第２の外部ＬＬＲのセットを取得することと、第２の外部ＬＬＲのセットを処理して、復調のために第１の優先的ＬＬＲのセットを取得することとを含む。
【０００６】
特定の態様は、無線通信のための装置を提供する。この装置は、一般的に、少なくとも１つのデータストリームを受信するように構成された受信機と、ここで、少なくとも１つのデータストリームの各データストリームは、無線チャネルを通して送信されたものであり、少なくとも１つのデータストリームの送信ビットの第１の優先的対数尤度比（ＬＬＲ）のセットと、チャネル行列とを使用して少なくとも１つのデータストリームを復調して、少なくとも１つのデータストリームの送信ビットの第１の外部ＬＬＲのセットを取得するように構成された復調器と、第１の外部ＬＬＲのセットを処理して、復号のために第２の優先的ＬＬＲのセットを取得するように構成された第１のプロセッサと、第２の優先的ＬＬＲのセットを復号して、少なくとも１つのデータストリームの送信ビットの第２の外部ＬＬＲのセットを取得するように構成された復号器と、第２の外部ＬＬＲのセットを処理して、復調のために第１の優先的ＬＬＲのセットを取得するように構成された第２のプロセッサとを含む。
【０００７】
特定の態様は、無線通信のための装置を提供する。この装置は、一般的に、少なくとも１つのデータストリームを受信するための手段と、ここで、少なくとも１つのデータストリームの各データストリームは、無線チャネルを通して送信されたものであり、少なくとも１つのデータストリームの送信ビットの第１の優先的対数尤度比（ＬＬＲ）のセットと、チャネル行列とを使用して少なくとも１つのデータストリームを復調して、少なくとも１つのデータストリームの送信ビットの第１の外部ＬＬＲのセットを取得するための手段と、第１の外部ＬＬＲのセットを処理して、復号のために第２の優先的ＬＬＲのセットを取得するための手段と、第２の優先的ＬＬＲのセットを復号して、少なくとも１つのデータストリームの送信ビットの第２の外部ＬＬＲのセットを取得するための手段と、第２の外部ＬＬＲのセットを処理して、復調のために第１の優先的ＬＬＲのセットを取得するための手段とを含む。
【０００８】
特定の態様は、無線通信のためのコンピュータプログラムプロダクトを提供する。このコンピュータプログラムプロダクトは、コンピュータ可読媒体を含み、このコンピュータ可読媒体は、少なくとも１つのデータストリームを受信することと、ここで、少なくとも１つのデータストリームの各ストリームは、無線チャネルを通して送信されたものであり、少なくとも１つのデータストリーム送信ビットの第１の優先的対数尤度比（ＬＬＲ）のセットと、チャネル行列とを使用して少なくとも１つのデータストリームを復調して、少なくとも１つのデータストリームの送信ビットの第１の外部ＬＬＲのセットを取得することと、第１の外部ＬＬＲのセットを処理して、復号のために第２の優先的ＬＬＲのセットを取得することと、第２の優先的ＬＬＲのセットを復号して、少なくとも１つのデータストリームの送信ビットの第２の外部ＬＬＲのセットを取得することと、第２の外部ＬＬＲのセットを処理して、復調のために第１の優先的ＬＬＲのセットを取得することとを実行可能な命令を備える。
【０００９】
特定の態様は、無線ノードを提供する。この無線ノードは、一般的に、少なくとも１つのアンテナと、この少なくとも１つのアンテナを介して、少なくとも１つのデータストリームを受信するように構成された受信機と、ここで、少なくとも１つのデータストリームの各データストリームは、無線チャネルを通して送信されたものであり、少なくとも１つのデータストリームの送信ビットの第１の優先的対数尤度比（ＬＬＲ）のセットと、チャネル行列とを使用して少なくとも１つのデータストリームを復調して、少なくとも１つのデータストリームの送信ビットの第１の外部ＬＬＲのセットを取得するように構成された復調器と、第１の外部ＬＬＲのセットを処理して、復号のために第２の優先的ＬＬＲのセットを取得するように構成された第１のプロセッサと、第２の優先的ＬＬＲのセットを復号して、少なくとも１つのデータストリームの送信ビットの第２の外部ＬＬＲのセットを取得するように構成された復号器と、第２の外部ＬＬＲのセットを処理して、復調のために、第１の優先的ＬＬＲのセットを取得するように構成された第２のプロセッサとを含む。
【図面の簡単な説明】
【００１０】
本開示の上記特徴がより詳細に理解されうるように、上に概要が述べられた記内容のより詳しい記述は、態様を参照して得ることができ、その態様のいくつかは添付の図面に示される。しかしながら、添付の図面は単に本開示の特定の典型的な態様を示しており、この記述が他の同等に有効な態様を認めうるため、この範囲の限定とみなされないことに注意されたい。
【図１】図１は、本開示の特定の態様に従って例示的な無線通信システムを示す。
【図２】図２は、本開示の特定の態様に従って、無線デバイスで利用されうる様々なコンポーネントを示す。
【図３】図３は、本開示の特定の態様に従って、無線通信システムにおいて使用されうる例示的な送信機を示す。
【図４】図４は、本開示の特定の態様に従って、無線通信システムにおいて使用されうる、反復復調／復号構造を備えた例示的な受信機を示す。
【図５】図５は、本開示の特定の態様に従って、統一反復復号のための例示的な動作を示す。
【図５Ａ】図５Ａは、図５に示される動作を実行することができる例示的なコンポーネントを示す。
【図６】図６は、本開示の特定の態様に従って外部対数尤度比を計算するための復調器の例示的なブロック図を示す。
【発明を実施するための形態】
【００１１】
[詳細な説明]
本開示の様々な態様が、添付の図面に関して、以下により詳細に記述される。しかしながら、本開示は、多種多様な形態で組み込まれることができ、本開示全体を通して提示されるあらゆる特定の構造または機能に限定されると解釈されるべきではない。むしろ、これらの態様は、本開示を完全および完璧にして、本開示の範囲を当業者に十分に伝達するために提供される。当業者は、本開示の範囲が、本明細書の開示に含まれる任意の態様が単独で実施されようと、本開示の任意の別の態様と組み合わされて実施されようと、それらの態様をカバーするように企図されることを、本明細書の教示に基づいて認識するべきである。例えば、本明細書に示された任意の数の態様を使用して、装置が実現されるか、方法が実施されうる。加えて、本開示の範囲は、本明細書に示される開示の様々な態様に加えて、あるいは、それらを除いて、別の構造、機能性、または、構造と機能性を使用して実施される、そのような装置または方法をカバーすることが企図される。本明細書に開示される内容のいずれの態様も、特許請求の範囲の１または複数のエレメントによって組み込まれうることは理解されるべきである。
【００１２】
「例示的（exemplary）」という用語は、本明細書において、「実例、事例、例証としての役割を果たすこと」を意味するために使用される。「例示的」として本明細書に述べる任意の態様は、必ずしも、他の設計よりも好まれるまたは有利であると解釈されるわけではない。
【００１３】
本明細書には特定の態様が記述されるが、これらの態様の多くの変形および置換は、本開示の範囲に含まれる。好まれる態様のいくつかの利益および利点が述べられるが、本開示の範囲は、特定の利益、用途、または目的に限定されないことが企図される。むしろ、本開示の態様は、一部が、図面および次に続く好まれる態様の記述において例を用いて示される異なる無線テクノロジ、システム構成、ネットワーク、および、送信プロトコルに広く適用可能であることが企図される。発明を実施するための形態および図面は、添付される特許請求の範囲およびその均等物によって定義されている開示の範囲を限定するものというよりはむしろ本開示の単なる例である。
【００１４】
[例示的な無線通信システム]
本明細書に記述される技術は、直交多重化スキームおよび単一キャリア送信に基づく通信システムを含む様々な広帯域無線通信システムに対して使用されうる。そのような通信システムの例は、直交周波数分割多元接続（ＯＦＤＭＡ）システム、単一キャリア周波数分割多元接続（ＳＣ−ＦＤＭＡ）システム、符号分割多元接続（ＣＤＭＡ）などを含む。ＯＦＤＭＡシステムは、システム帯域幅全体を複数の直交サブキャリアに分割する変調技術である直交周波数分割多重（ＯＦＤＭ）を利用する。これらのサブキャリアは、トーン、ビンとも呼ばれうる。ＯＦＤＭの場合、各サブキャリアは、個々にデータと変調されうる。ＳＣ−ＦＤＭＡシステムは、システム帯域幅にわたって分散されたサブキャリア上で送信するためにインターリーブドＦＤＭＡ（ＩＦＤＭＡ）を、隣接サブキャリアのブロック上で送信するためにローカライズドＦＤＭＡ（ＬＦＭＤＡ）を、または、隣接サブキャリアの複数のブロック上で送信するためにエンハンスドＦＤＭＡ（ＥＦＤＭＡ）を利用しうる。一般的に、変調シンボルは、ＯＦＤＭを用いて周波数ドメインで送られ、ＳＣ−ＦＤＭＡを用いて時間ドメインで送られる。ＣＤＭＡシステムは、複数のユーザが同一の物理チャネル上で多重送信されることを可能にするために、スペクトル拡散テクノロジと、各送信機（すなわち、ユーザ）に符号が割り当てられる符号化スキームとを利用しうる。ＣＤＭＡシステムは、例えば、広域符号分割多元接続（Ｗ−ＣＤＭＡ）プロトコル、高速パケットアクセス（ＨＳＰＡ）プロトコル、発展型高速パケットアクセス（ＨＳＰＡ＋）プロトコルなどを利用しうる。
【００１５】
本明細書の教示は、様々な有線装置または無線装置（例えば、ノード）に組み込まれうる（例えば、それの中で実現されうるか、または、それによって実行されうる）。いくつかの態様において、本明細書の教示に従って実現されるノードは、アクセスポイントまたはアクセス端末を備えうる。
【００１６】
アクセスポイント（「ＡＰ」）は、ノードＢ、無線ネットワークコントローラ（「ＲＮＣ」）、発展型ノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＲＢＳ」）、無線基地局（「ＲＢＳ」）、あるいは、ある別の用語を備えうるか、それとして実現されるか、あるいは、それとして知られうる。
【００１７】
アクセス端末（「ＡＴ」）は、アクセス端末、加入者局、加入者ユニット、モバイル局、リモート局、リモート端末、ユーザ端末、ユーザエージェント、ユーザデバイス、ユーザ機器、あるいは、ある別の用語を備えうるか、それとして実現されるか、それとして知られうる。いくつかの実施形態において、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、無線接続機能を有するハンドヘルドデバイス、または、無線モデムに接続されたある別の適切な処理デバイスを備えうる。結果として、本明細書において教示される１または複数の態様は、電話（例えば、セルラ電話またはスマートフォン）、コンピュータ（例えば、ラップトップ）、ポータブル通信デバイス、ポータブル計算デバイス（例えば、携帯情報端末）、エンターテイメントデバイス（例えば、ミュージックまたはビデオデバイス、あるいは、衛星ラジオ）、全地球測位システムデバイス、あるいは、無線または有線媒体を介して通信するように構成されたある別の適切なデバイスに組み込まれうる。いくつかの態様において、ノードは無線ノードである。そのような無線ノードは、有線または無線通信リンクを介して、例えば、ネットワーク（例えば、インターネットまたはセルラネットワークなどの広域ネットワーク）への接続性を提供しうる。
【００１８】
図１は、本開示の実施形態が用いられうる無線通信システム１００の例を示す。無線通信システム１００は、広帯域無線通信システムでありうる。無線通信システム１００は、各々が基地局１０４からサービスを受ける多数のセル１０２に対して通信を提供しうる。基地局１０４は、ユーザ端末１０６と通信する固定局でありうる。基地局１０４は、別名、アクセスポイント、ノードＢ、または、ある別の用語で呼ばれうる。
【００１９】
図１は、システム１００全体に分散した多様なユーザ端末１０６を描写する。ユーザ端末１０６は、固定（すなわち、据え付け）またはモバイルでありうる。ユーザ端末１０６は、別名、リモート局、アクセス端末、端末、加入者ユニット、モバイル局、局、ユーザ機器などと呼ばれうる。ユーザ端末１０６は、セルラ電話、携帯情報端末（ＰＤＡ）、ハンドヘルドデバイス、無線モデム、ラップトップコンピュータ、パーソナルコンピュータなどのような無線デバイスでありうる。
【００２０】
様々なアルゴリズムおよび方法が、無線通信システム１００において基地局１０４とユーザ端末１０６との間の送信に使用されうる。例えば、信号は、ＣＤＭＡ技術に従って、基地局１０４とユーザ端末１０６との間で送受信されうる。この場合、無線通信システム１００は、ＣＤＭＡシステムと呼ばれうる。
【００２１】
基地局１０４からユーザ端末１０６への送信を容易にする通信リンクは、ダウンリンク（ＤＬ）１０８と呼ばれ、ユーザ端末１０６から基地局１０４への送信を容易にする通信リンクは、アップリンク（ＵＬ）１１０と呼ばれうる。あるいは、ダウンリンク１０８は、順方向リンクまたは順方向チャネルと呼ばれ、アップリンク１１０は、逆方向リンクまたは逆方向チャネルと呼ばれうる。
【００２２】
セル１０２は、複数のセクタ１１２に分割されうる。セクタ１１２は、セル１０２内の物理カバレッジエリアである。無線通信システム１００内の基地局１０４は、セル１０２の特定のセクタ１１２内の電力の流れを集めるアンテナを利用しうる。このようなアンテナは、指向性アンテナと呼ばれうる。
【００２３】
図２は、無線通信システム１００内で用いられうる無線デバイス２０２で利用されうる様々なコンポーネントを示す。無線デバイス２０２は、本明細書に記述された様々な方法を実現するように構成されうるデバイスの例である。無線デバイス２０２は、基地局１０４またはユーザ端末１０６でありうる。
【００２４】
無線デバイス２０２は、無線デバイス２０２の動作を制御するプロセッサ２０４を含みうる。プロセッサ２０４は、中央処理装置（ＣＰＵ）とも呼ばれうる。読み取り専用メモリ（ＲＯＭ）およびランダムアクセスメモリ（ＲＡＭ）の両方を含みうるメモリ２０６は、命令およびデータをプロセッサ２０４に提供する。メモリ２０６の一部は、さらに、不揮発性ランダムアクセスメモリ（ＮＶＲＡＭ）を含みうる。プロセッサ２０４は、典型的に、メモリ２０６に記憶されたプログラム命令に基づいて論理的およびアルゴリズム的な動作を行う。メモリ２０６の命令は、本明細書に記述される方法を実現するために実行可能でありうる。
【００２５】
無線デバイス２０２は、さらに、無線デバイス２０２とリモートロケーションとの間でのデータの送受信を可能にする送信機２１０および受信機２１２を含みうるハウジング２０８を含みうる。送信機２１０および受信機２１２は結合され、トランシーバ２１４になりうる。１または複数の送信アンテナ２１６は、ハウジング２０８に取り付けられ、トランシーバ２１４と電気的に結合されうる。無線デバイス２０２は、さらに、複数の送信機、複数の受信機、複数のトランシーバを含みうる（図示されない）。
【００２６】
無線デバイス２０２は、さらに、トランシーバ２１４によって受信される信号のレベルを検出および定量化しようとする際に使用されうる信号検出器２１８を含みうる。信号検出器２１８は、トータルエネルギー、シンボル毎のサブキャリアに対するエネルギー、電力スペクトル密度、および、別の信号として、そのような信号を検出しうる。無線デバイス２０２は、さらに、信号の処理に使用されるデジタル信号プロセッサ（ＤＳＰ）２２０を含みうる。
【００２７】
無線デバイス２０２の様々なコンポーネントは、データバスに加えて、電力バス、制御信号バス、状態信号バスを含みうるバスシステム２２２によって互いに結合され、
図３は、ＣＤＭＡを利用する無線通信システム１００で使用されうる送信機３００の例を示す。送信機３００の一部は、無線デバイス２０２の送信機２１０で実現されうる。送信機３００は、ダウンリンク１０８でデータ３０２をユーザ端末１０６に送信するために、基地局１０４で実現されうる。送信機３００は、さらに、アップリンク１１０でデータ３０２を基地局１０４に送信するために、ユーザ端末１０６で実現されうる。
【００２８】
送信されるべきデータ３０２は、異なるユーザ端末１０６専用の複数の信号を表す。この複数の信号の各信号は、直交拡散コード３０４のセットのうちの対応する拡散コードに従って、拡散ユニット３０６で拡散されうる。異なるユーザ端末１０６専用の複数の拡散信号が合計されて、累積信号（cumulative signal）３０８が生成されうる。送信されるべき累積信号３０８が示され、それは、マッパ（mapper）３１０への入力として提供されている。マッパ３１０は、このデータストリーム３０８をコンステレーションポイント上にマッピングしうる。このマッピングは、二位相偏移変調（ＢＰＳＫ）、直交偏移位相（ＱＰＳＫ）、八位相偏移変調（８ＰＳＫ）、直交増幅変調（ＱＡＭ）など、ある変調コンステレーションを使用して行われうる。このように、マッパ３１０は、プリアンブル挿入ユニット３１４への入力を表しうるシンボルストリーム３１２を出力しうる。
【００２９】
プリアンブル挿入ユニット３１４は、入力シンボルストリーム３１２の始端にプリアンブルシーケンスを挿入し、対応するデータストリーム３１６を生成するように構成されうる。プリアンブルは、受信機で知られており、時間および周波数同期、チャネル推定、等化、およびチャネル復号に利用されうる。次に、プリアンブル挿入ユニット３１４の出力３１６は、無線周波数（ＲＦ）フロントエンド３１８によって所望の周波数帯域までアップコンバートされうる。次に、少なくとも１つのアンテナ３２０が、無線チャネルを通して、結果として得られる信号３２２を送信しうる。
【００３０】
本開示の特定の態様は、受信機２１２に組み込まれうる統一反復復号アーキテクチャをサポートする。提案される統一反復受信機構造は、多重入力多重出力（ＭＩＭＯ）無線システムおよびＭＩＭＯ以外の無線システムの両方に利用されうる。
【００３１】
[反復復号]
反復復号とは、受信機誤り率性能を向上させるために使用されうる技術である。反復復号は、インターリーブ方式で繰り返し行われうる２つのステップを備えうる。１つのステップにおいて、全ての送信ビットについての経験的（a posteriori）確率が抽出されうる。例えば、経験的対数尤度比（ＬＬＲ）情報は、１または複数のデータストリームに対して、外部ターボ復号器を特定の回数反復した後に取得されうる。別のステップにおいて、全ての送信ビットのＬＬＲが生成されうる。
【００３２】
最初のＭＩＭＯストリームの最初の反復において、ＬＬＲは、受信信号から直接生成されうる。後続の反復について、経験的ＬＬＲの外部の部分が受信信号と共に使用され、次の反復のための新しいＬＬＲが生成されうる。
【００３３】
図４は、無線通信システム１００内で使用されうる反復復号に基づいて例示的な受信機構造４００を示す。反復復号器４００は、図２の受信機２１２の不可欠な部分でありうる。提案される反復復号器４００は、復調器４０６およびターボ復号ユニット４２０によって共に行われるＬＬＲ抽出に基づく。図５は、本開示の特定の態様に従って、結合ＬＬＲ抽出に基づく統一反復復号についての例示的な動作５００を示す。
【００３４】
５１０において、無線チャネルを通して送信される少なくとも１つのデータストリームは、受信機で受信されうる。反復受信機構造４００は、反復的にインターフェースされうる復調器４０６およびターボ復号ユニット４２０を備えうる。復調ユニット４０４は、５０２において、受信サンプル４０２に基づいて、および、優先的ＬＬＲ ４０８に基づいて、送信ビットの経験的ＬＬＲ ４１０を生成しうる。外部ＬＬＲ ４１２は、経験的ＬＬＲ ４１０から優先的ＬＬＲ ４０８を差し引くことによって取得されうる。
【００３５】
５３０において、外部ＬＬＲ ４１２は、逆レートマッチング（ＤＲＭ:de-rate matching）ユニット４１４によって処理され、適切なレートの優先的ＬＬＲ ４１６が、ターボ復号器４２０への入力として生成されうる。ターボ復号（ＴＤ）ユニット４１８は、復号ビットのハード値（hard value）４２８を提供しうる。誤り率性能を改善するために、ターボ復号器４２０と復調器４０６との間で、外部のフィードバックが用いられうる。５４０において、ＴＤユニット４１８は、少なくとも１つのデータストリームの送信ビットのソフト値（soft value）を表す経験的ＬＬＲ ４２２を生成し、外部ＬＬＲ ４２４は、経験的ＬＬＲ ４２２から優先的ＬＬＲ ４１６を差し引くことによって取得されうる。５５０において、外部ＬＬＲは、レートマッチング（ＲＭ）ユニット４２６によって処理され、適切なレートの優先的ＬＬＲ ４０８が取得されうる。優先的ＬＬＲ ４０８は、次の反復で、復調器４０６によって利用されうる。送信ビットのシステマティックビットに関連するＬＬＲと、パリティビットに関連するＬＬＲが、外部ＬＬＲ ４２４から抽出されうる。システマティックビットに関連する抽出ＬＬＲは、復調器４０６と復号器４２０との間での次の処理反復に備えて第１の優先的ＬＬＲ ４０８のセットを更新するために利用されうる。
【００３６】
提案される反復復号器アーキテクチャ４００が、周知のハード／ソフト直列干渉キャンセレーション（ＳＩＣ）アーキテクチャとは異なることに注意されたい。ハード／ソフトＳＩＣアーキテクチャは、多重入力多重出力（ＭＩＭＯ）システムにのみ使用されるが、提案される反復復号アーキテクチャは、ＭＩＭＯシステムと単一入力単一出力（ＳＩＳＯ）システムの両方に使用されうる。
【００３７】
提案される反復復号器４００の重要な特徴は、ターボ復号器４２０からの外部出力４２４が、次の反復のために、復調器４０６に対する優先的確率（ＡＰＰ）入力４０８になりうるという点である。同様に、復調器４０６からの外部出力４１２は、ターボ復号器４２０に対するＡＰＰ入力４１６になりうる。最初の反復について、復調器４０６へのＡＰＰ入力が利用可能ではないため、復調器４０６のＬＬＲ出力４１０は、外部出力４１２と同じ可能性がある。
【００３８】
送信される少なくとも１つのデータストリームのサイズ（すなわち、転送ブロックサイズ：ＴＢＳ）は、大きい場合があり、それによって、反復復号器４００の処理待ち時間が、所望のデータレートを達成するためのターゲットタイムラインを超える可能性がある。本開示の特定の態様は、ＴＢＳに基づいて、反復パラメータ（例えば、復調器４０６と復号器４２０との間での外部反復の回数、および、復号器ユニット４１８の内部反復の回数）を適切に調整することをサポートする。
【００３９】
[外部対数尤度比の計算]
図６は、本開示の特定の態様に従って、外部ＬＬＲを生成しうる図４の復調器４０６の例示的なブロック図を示す。受信信号６００は、白色化（whiten）され、書込コントローラバッファ（ＷＣＢ）ユニット６０２に記憶されうる。記憶された白色化受信信号６０４は、復調器４０６への入力を表しうる。復調器４０６への別の入力は、ＭＩＭＯチャネル係数の行列６０６であり、さらに別の入力は、図４に示されるターボ復号器４２０からの優先的ＬＬＲ ６０８でありうる。復調器ユニット４０４は、送信符号化ビットの経験的ＬＬＲ ６１０を生成しうる。外部ＬＬＲ ６１２は、経験的ＬＬＲ ６１０から優先的ＬＬＲ ６０８を差し引くことによって取得されうる。
【００４０】
このシステムモデルは、次のように表されうる。
【数１】
0005579851.tif 000002
【００４１】
ここで、ｘは、１または複数の送信アンテナからの送信シンボルのベクトルであり、ｙは、白色化信号６０４であり、Ｈは、チャネル係数の行列６０６であり、ｎはノイズベクトルである。ＭＩＭＯ無線システムが想定されるが、単一ストリーム無線システムおよび単一入力単一出力（ＳＩＳＯ）無線システムは、このＭＩＭＯ無線システムの特別な場合としてみなされうる。
【００４２】
送信変調シンボルｘのベクトルからのビットｂｋに対するＬＬＲ出力６１０は、次のように表されうる：
【数２】
0005579851.tif 000003
【００４３】
ここで、Ｌ（ｂｋ）は、復調器の経験的ＬＬＲ出力を表し、ＬＡ（ｂｋ）は、復調器へのＡＰＰ ＬＬＲ入力を表し、ＬＥ（ｂｋ）は、復調器の外部ＬＬＲ出力であり、Ｎは、ＭＩＭＯデータストリームの数であり、Ｍは、変調シンボルに対するビットの数である。変数ｕｉおよびｖｊは、シンボルベクトルｘ、および、シンボルとビットのマッピング関係に依存して、０か１のいずれかでありうる。加えて、ＬＬＲの定義に従って、優先的確率は、次のように表されうる：
【数３】
0005579851.tif 000004
【００４４】
復調器の経験的ＬＬＲ出力が、ＡＰＰ情報と外部情報という２つの部分から構成されることが式（２）から観察されうる。式（３）を式（２）と組み合わせ、いくつかの操作を行った後、ビットｂｋに対する外部ＬＬＲは次のように表されうる：
【数４】
0005579851.tif 000005
【００４５】
ここで、
【数５】
0005579851.tif 000006
【００４６】
はノイズ分散である。
【００４７】
受信シンボルｙと送信仮説ｘとの距離を表す各項が、優先的確率（ＡＰＰ）ＬＬＲを加えることによってシフトされうることは、式（４）から観察されうる。加えて、ＡＰＰ情報を使用する場合、ＡＰＰ ＬＬＲを確率に変換することは要求されない。
【００４８】
次に与えられるように、式（４）の演算を最大値演算（maximum operation）で置き換えることによって、Ｍａｘ−Ｌｏｇ ＭＡＰ（ＭＬＭ）解法が取得されうる：
【数６】
0005579851.tif 000007
【００４９】
[ＡＰＰを用いたフルスライシング演算]
一般性の喪失なく、２つのデータストリームを有するＭＩＭＯ無線システムが想定されうる。ｘ１の各仮説に対して第１のデータストリームから干渉を差し引いた後、第１のデータストリームからの、干渉を含まない受信信号ｚは、次のように表されうる：
【数７】
0005579851.tif 000008
【００５０】
ここで、ｈｍは、第ｍのＭＩＭＯストリーム（すなわち、第ｍの送信アンテナ）から全ての受信アンテナへのチャネルである。
【００５１】
第２のデータストリームｘ２に対する式（５）からの最大化は、次のように表されうる：
【数８】
0005579851.tif 000009
【００５２】
ここで、Ｐｒ｛ｘ２｝は、コンステレーションポイントｘ２が送信される優先的確率である。ｘ２に対する最大化は、次に与えられるように、コンステレーションポイントとの実数コンポーネントおよび虚数コンポーネントに対する最適化に分解されうる：
【数９】
0005579851.tif 000010
【数１０】
0005579851.tif 000011
【数１１】
0005579851.tif 000012
【００５３】
式（７）によって与えられる最適化は、ｘ２が２Ｍ個の可能値を取りうるため、Ｏ（２Ｍ）に比例する計算複雑性を有しうる。ここで、Ｍは、コンステレーションシンボルに対するビットの数である。式（９）〜（１０）を適用することによって、この計算複雑性は、Ｏ（２Ｍ／２）まで減らされうる。計算複雑性をさらにＯ（log２Ｍ）まで減少させることは、さらなる近似値を犠牲にして可能でありうる。
【００５４】
[近似値を使用した簡略化スライシング演算]
一般性の喪失なく、同時送信される２つの異なるデータストリームがｘ１およびｘ２を有する無線システムが想定される。チャネル行列ＨのＱＲ分解は、Ｈ＝Ｑ・Ｒとして用いられうる： 受信信号をユニタリ行列Ｑで回転させた後、このシステムモデルは、次のように、より詳細なフォーマットで再度表されうる：
【数１２】
0005579851.tif 000013
【００５５】
送信データストリームｘ２の各仮説について、
【数１３】
0005579851.tif 000014
【００５６】
と表される、送信データストリームｘ１の線形最低二乗平均誤差（ＬＭＭＳＥ）推定値は、次のように表されうる：
【数１４】
0005579851.tif 000015
【００５７】
ここで、
【数１５】
0005579851.tif 000016
【００５８】
および
【数１６】
0005579851.tif 000017
【００５９】
は、それぞれ、送信データストリームｘ１のソフトシンボルの平均および分散を表す。送信データストリームのソフトシンボルがガウス分布に従うことが想定されうる。よって、
【数１７】
0005579851.tif 000018
【００６０】
は、最も近いコンステレーションポイントにスライシングされうる。
【００６１】
[統一復号]
本開示の特定の態様は、デュアルストリームＭＩＭＯ無線システム、単一ストリームＭＩＭＯ無線システム、ＳＩＳＯ無線システムを含む異なる無線システムにおいて結合ＬＬＲ抽出を用いた反復復号に用いられうる統一アーキテクチャをサポートする。一般的に、復調器４０６への入力は、図６に示され、式（４）で定義されるように、白色化受信シンボルｙ、白色化チャネル行列Ｈ、全ての送信ビットについてのＡＰＰ情報
【数１８】
0005579851.tif 000019
【００６２】
でありうる。
【００６３】
デュアルストリームＭＩＭＯシステムの場合、式（１）によって与えられるシステムモデルは、次のように表されうる：
【数１９】
0005579851.tif 000020
【００６４】
前に定義された全ての復調器入力が要求されることは、式（１２）から観察されうる。
【００６５】
単一ストリームＭＩＭＯシステムにおいて、式（１）によって与えられるシステムモデルは、次のように表されうる：
【数２０】
0005579851.tif 000021
【００６６】
ここで、白色化シンボルｙは、通常の場合と同じであり、
【数２１】
0005579851.tif 000022
【００６７】
であり（すなわち、第１の列のみが使用され）、ＡＰＰ情報
【数２２】
0005579851.tif 000023
【００６８】
は、第１のデータストリームについてのみ定義されうる：
ＳＩＳＯシステムの場合、式（１）によって与えられるシステムモデルは、次のように表されうる：
【数２３】
0005579851.tif 000024
【００６９】
ここで、白色化受信シンボルは、
【数２４】
0005579851.tif 000025
【００７０】
と与えられ、白色化チャネルは、
【数２５】
0005579851.tif 000026
【００７１】
と定義され、ＡＰＰ情報は、
【数２６】
0005579851.tif 000027
【００７２】
と与えられうる。
【００７３】
よって、デュアルストリームＭＩＭＯシステム、単一ストリームＭＩＭＯシステム、ＳＩＳＯシステムのような異なる無線システムは、図４に例示される、同一のアドバンスド反復復号アーキテクチャを共有しうる。
【００７４】
上に記述された方法の様々な動作は、対応する機能を実行することができる任意の適切な手段によって行われうる。この手段は、回路、特定用途向け集積回路（ＡＳＩＣ）、またはプロセッサを含むがそれに限定されない、様々なハードウェアおよび／またはソフトウェアコンポーネントおよび／またはモジュールを含みうる。一般的に、複数の図に示される動作がある場合、これらの動作は、同様にナンバリングされた対応する手段プラス機能（means-plus-function）コンポーネントを有しうる。例えば、図５に示されるブロック５１０〜５５０は、図５Ａに示される回路ブロック５１０Ａ〜５５０Ａに対応する。
【００７５】
本明細書で使用される場合、「determining（決定すること）」という用語は、多種多様な動作を包含する。例えば、「決定すること」は、算出すること（calculating）、計算すること（computing）、処理すること（processing）、導き出すこと（deriving）、調査すること（investigating）、ルックアップすること（looking up）（例えば、テーブル、データベース、別のデータ構造をルックアップすること）、確認すること（ascertaining）などを含みうる。さらに、「決定すること」は、受信すること（receiving）（例えば、情報を受信すること）、アクセスすること（accessing）（例えば、メモリのデータにアクセスすること）などを含みうる。さらに、「決定すること」は、解決すること（resolving）、選択すること（selecting）、選ぶこと（choosing）、確立すること（establishing）などを含みうる。
【００７６】
上述された方法の様々な動作は、様々なハードウェアおよび／またはソフトウェアコンポーネント、回路、および／またはモジュールなどの動作を行うことができる任意の適切な手段によって行われうる。一般的に、図に示される任意の動作は、その動作を行うことができる対応する機能手段によって行われうる。
【００７７】
本開示と関連して記述される様々な実例となる論理ブロック、モジュール、回路は、汎用プロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス（ＰＬＤ）、ディスクリートゲートまたはトランジスタ論理、ディスクリートハードウェアコンポーネント、あるいは、本明細書に記述された機能を行うように設計されたこれらの任意の組み合わせと一緒に実現または実行されうる。汎用プロセッサはマイクロプロセッサであるが、代替で、このプロセッサは、任意の商業上入手可能なプロセッサ、コントローラ、マイクロコントローラ、またはステートマシンでありうる。プロセッサは、また、例えば、ＤＳＰとマクロプロセッサ、複数のマイクロプロセッサ、ＤＳＰコアに結合した１または複数のマイクロプロセッサ、その他の上記構成の組み合わせといった計算デバイスの組み合わせとしても実現されうる。
【００７８】
本開示に関して記述された方法またはアルゴリズムのステップは、直接的にハードウェアに、プロセッサによって実行されるソフトウェアモジュールに、またはそれら二つの組み合わせに組み込まれうる。ソフトウェアモジュールは、当技術分野において知られているあらゆる形態の記憶媒体に存在しうる。使用されうる記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、取り外し可能ディスク、ＣＤ−ＲＯＭなどを含む。ソフトウェアモジュールは、単一の命令または多数の命令を備え、いくつかの異なるコードセグメントにわたって、異なるプログラム間で、および、複数の記憶媒体をまたいで分散されうる。記憶媒体は、プロセッサが記憶媒体から情報を読み取り、且つ、記憶媒体に情報を書き込むことができるように、プロセッサに結合されうる。代替として、この記憶媒体は、プロセッサに一体化されうる。
【００７９】
本明細書に開示された方法は、記述された方法を達成するために、１または複数のステップまたは動作を備える。方法のステップおよび／または動作は、特許請求の範囲から逸脱することなく、互いに交換可能でありうる。換言すると、ステップまたは動作の特定の順序が明記されていない限り、その特定のステップおよび／または動作の順序および／または用途は、特許請求の範囲から逸脱することなく変更されうる。
【００８０】
記述された機能は、ハードウェア、ソフトウェア、ファームウェア、またはそれらの組み合わせで実現されうる。ソフトウェアに実施された場合、この機能は、コンピュータ可読媒体上の１または複数の命令として記憶される。記憶媒体はコンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造形で所望のプログラムコードを搬送または記憶するために使用される任意の別媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。
【００８１】
このように、特定の態様は、本明細書に提示された動作を実行するためにコンピュータプログラムプロダクトを備えうる。例えば、このようなコンピュータプログラムプロダクトは、格納（および／または、符号化）された命令を有するコンピュータ可読媒体を備え、この命令は、本明細書に記述された動作を行うために、１または複数のプロセッサによって実行されることができる。特定の態様について、コンピュータプログラムプロダクトは、パッケージングマテリアルを含みうる。
【００８２】
ソフトウェアまたは命令は、さらに、送信媒体を通して送信されうる。例えば、同軸ケーブル、光ファイバーケーブル、撚線対、デジタル加入者回線（ＤＳＬ）、または赤外線、無線、マイクロ波などの無線テクノロジを使用してウェブサイト、サーバ、または他のリモートソースからソフトウェアが送信されると、この同軸ケーブル、光ファイバーケーブル、撚線対、ＤＳＬ、または赤外線、無線、マイクロ派などの無線テクノロジは、送信媒体の定義に含まれる。
【００８３】
さらに、本明細書に記述された方法および技術を行うためのモジュールおよび／または別の適切な手段が、ダウンロードされうること、および／または、そうでなければ、ユーザ端末および／または基地局によって適宜取得されうることは認識されるべきである。例えば、そのようなデバイスは、本明細書に記述された方法を行うための手段の移送を容易にするためにサーバに結合されうる。あるいは、本明細書に記述された様々な方法は、ユーザ端末および／または基地局が、記憶媒体をデバイスに結合または提供することで様々な方法を取得できるように、記憶手段（例えば、ＲＡＭ、ＲＯＭ、コンパクトディスク（ＣＤ）またはフロッピーなどの物理記憶媒体など）を介して提供されうる。さらに、本明細書に記述された方法および技術をデバイスに提供するためのあらゆる別の適切な技術が利用されうる。
【００８４】
特許請求の範囲が、通り設定および上に示されたコンポーネントに限定されないことは理解されるべきである。上に記述された方法および装置の配列、動作、細部に対して、特許請求の範囲を逸脱することなく、様々な変更、変化、変形が行われうる。
【００８５】
本明細書に提供された技術は、様々なアプリケーションにおいて利用されうる。特定の態様について、本明細書に提示された技術は、アクセスポイント局、アクセス端末、あるいは、本明細書に記述された技術を行うための処理論理とエレメントとを有する別のタイプの無線デバイスに組み込まれうる。
以下に、本願出願の当初の特許請求の範囲に記載された発明を付記する。
（１）  無線通信のための方法であって、
少なくとも１つのデータストリームを受信することと、ここで、前記少なくとも１つのデータストリームの各データストリームは、無線チャネルを通して送信されたものであり、
前記少なくとも１つのデータストリームの送信ビットの第１の優先的対数尤度比（ＬＬＲ）のセットと、チャネル行列とを使用して前記少なくとも１つのデータストリームを復調し、前記少なくとも１つのデータストリームの送信ビットの第１の外部ＬＬＲのセットを取得することと、
前記第１の外部ＬＬＲのセットを処理して、復号のために第２の優先的ＬＬＲのセットを取得することと、
前記第２の優先的ＬＬＲのセットを復号して、前記少なくとも１つのデータストリームの送信ビットの第２の外部ＬＬＲのセットを取得することと、
前記第２の外部ＬＬＲのセットを処理して、前記復調のために前記第１の優先的ＬＬＲのセットを取得することと を備える方法。
（２）前記第１の外部ＬＬＲのセットを処理することは、前記第１の外部ＬＬＲのセットを逆レートマッチングすることを備え、前記第２の外部ＬＬＲのセットを処理することは、前記第２の外部ＬＬＲのセットをレートマッチングすることを備える、（１）に記載の方法。
（３）前記第１の外部ＬＬＲのセットを処理することは、前記第１の外部ＬＬＲのセットから前記第２の優先的ＬＬＲのセットにバイパスすることを備え、前記第２の外部ＬＬＲのセットを処理することは、前記第２の外部ＬＬＲのセットから前記第１の優先的ＬＬＲのセットにバイパスすることを備える、（１）に記載の方法。
（４）前記少なくとも１つのデータストリームを受信することは、少なくとも２つのアンテナから送信される少なくとも２つの異なるデータストリームを受信することを備え、前記少なくとも２つの異なるデータストリームの各データストリームは、異なる受信アンテナを使用して受信される、（１）に記載の方法。
（５）前記第２の優先的ＬＬＲのセットを復号することは、前記少なくとも２つの異なるデータストリームに対応する前記優先的ＬＬＲの並列復号を備える、（４）に記載の方法。
（６）前記少なくとも１つのデータストリームを受信することは、少なくとも２つの受信アンテナを使用して１つのデータストリームを受信することを備える、（１）に記載の方法。
（７）各受信アンテナにおいて、前記受信された少なくとも１つのデータストリームを白色化して、白色化データストリームを取得することをさらに備える、（６）に記載の方法。
（８）復調することは、前記第１の優先的対数尤度比（ＬＬＲ）のセットの一部、前記各受信アンテナでの白色化データストリーム、前記チャネル行列の列を使用して復調することを備える、（７）に記載の方法。
（９）前記少なくとも１つのデータストリームを受信することは、少なくとも１つの受信アンテナを使用して１つのデータストリームを受信することを備える、（１）に記載の方法。
（１０）各受信アンテナにおいて、前記受信された少なくとも１つのデータストリームを白色化して、白色化データストリームを取得することをさらに備える、（９）に記載の方法。
（１１）復調することは、前記第１の優先的対数尤度比（ＬＬＲ）のセットの一部、前記白色化データストリーム、および、前記チャネル行列のエントリを使用して復調することを備える、（１０）に記載の方法。
（１２）復号することは、ターボ復号アルゴリズムに基づいて復号することを備える、（１）に記載の方法。
（１３）前記ターボ復号の後に、前記送信ビットのシステマティックビットに関連したＬＬＲと、パリティビットに関連したＬＬＲとを、前記第２の外部ＬＬＲのセットから抽出することと、
前記抽出されたシステマティックビットに関連したＬＬＲを使用して、前記復調のために前記第１の優先的ＬＬＲのセットを更新することとをさらに備える（１２）に記載の方法。
（１４）前記少なくとも１つのデータストリームを復調することは、
少なくとも、前記受信された少なくとも１つのデータストリームの別のデータストリームからの干渉を含まない信号と、前記データストリームの前記第１の優先的ＬＬＲのセットとを利用して、前記受信された少なくとも１つのデータストリームのうちの１つのデータストリームのシンボルを、Ｍａｘ−Ｌｏｇ ＭＡＰ（ＭＬＭ）アルゴリズムに基づいて推定することと、
前記送信ビットの推定値を、前記推定シンボルに基づいて取得することとを備える（１）に記載の方法。
（１５）前記少なくとも１つのデータストリームを復調することは、
少なくとも、前記受信された少なくとも１つのデータストリームの別のデータストリームについての仮説を利用して、前記受信された少なくとも１つのデータストリームうちの１つのデータストリームのソフトシンボルを、線形最低二乗平均誤差（ＬＭＭＳＥ）アルゴリズムの簡略化バージョンに基づいて推定することと、
前記データストリームの推定ソフトシンボルをスライシングして、前記送信ビットの推定値を取得することとを備え、
前記ＬＭＭＳＥアルゴリズムの簡略化は、前記推定ソフトシンボルのガウス分布によるものである、（１）に記載の方法。
（１６）前記復調と前記復号との間の反復の回数を、前記少なくとも１つのデータストリームの送信ビットの数に基づいて調整することをさらに備える、（１）に記載の方法。
（１７）前記復号の反復の回数を、前記少なくとも１つのデータストリームの送信ビットの数に基づいて調整することをさらに備える、（１）に記載の方法。
（１８）無線通信のための装置であって、
少なくとも１つのデータストリームを受信するように構成された受信機と、ここで、前記少なくとも１つのデータストリームの各データストリームは、無線チャネルを通して送信されたものであり、
前記少なくとも１つのデータストリームの送信ビットの第１の優先的対数尤度比（ＬＬＲ）のセットと、チャネル行列とを使用して前記少なくとも１つのデータストリームを復調して、前記少なくとも１つのデータストリームの送信ビットの第１の外部ＬＬＲのセットを取得するように構成された復調器と、
前記第１の外部ＬＬＲのセットを処理して、復号のために第２の優先的ＬＬＲのセットを取得するように構成された第１のプロセッサと、
前記第２の優先的ＬＬＲのセットを復号して、前記少なくとも１つのデータストリームの送信ビットの第２の外部ＬＬＲのセットを取得するように構成された復号器と、
前記第２の外部ＬＬＲのセットを処理して、前記復調のために前記第１の優先的ＬＬＲのセットを取得するように構成された第２のプロセッサとを備える装置。
（１９）前記第１の外部ＬＬＲのセットを処理するように構成された第１のプロセッサは、前記第１の外部ＬＬＲのセットを逆レートマッチングするように構成された回路を備え、前記第２の外部ＬＬＲのセットを処理するように構成された第２のプロセッサは、前記第２の外部ＬＬＲのセットをレートマッチングするように構成された回路を備える、（１８）に記載の装置。
（２０）前記第１の外部ＬＬＲのセットを処理するように構成された第１のプロセッサは、前記第１の外部ＬＬＲのセットから前記第２の優先的ＬＬＲのセットにバイパスするように構成されたバイパス回路を備え、前記第２の外部ＬＬＲのセットを処理するように構成された第２のプロセッサは、前記第２の外部ＬＬＲのセットから前記第１の優先的ＬＬＲのセットにバイパスするように構成されたバイパス回路を備える、（１８）に記載の装置。
（２１）前記少なくとも１つのデータストリームを受信するように構成された受信機は、少なくとも２つのアンテナから送信される少なくとも２つの異なるデータストリームを受信するように構成された回路を備え、前記少なくとも２つの異なるデータストリームの各データストリームは、異なる受信アンテナを使用して受信される、（１８）に記載の装置。
（２２）前記第２の優先的ＬＬＲのセットを復号するように構成された復号器は、前記少なくとも２つの異なるデータストリームに対応する前記優先的ＬＬＲの並列復号を実行するように構成された回路を備える、（２１）に記載の装置。
（２３）前記少なくとも１つのデータストリームを受信するように構成された受信機は、少なくとも２つの受信アンテナを使用して１つのデータストリームを受信するように構成された回路を備える、（１８）に記載の装置。
（２４）各受信アンテナにおいて、前記受信された少なくとも１つのデータストリームを白色化して、白色化データストリームを取得するように構成された白色化回路をさらに備える、（２３）に記載の装置。
（２５）前記復調するように構成された復調器は、前記第１の優先的対数尤度比（ＬＬＲ）のセットの一部、前記各受信機アンテナでの白色化データストリーム、前記チャネル行列の列を使用して復調するように構成された回路を備える、（２４）に記載の装置。
（２６）前記少なくとも１つのデータストリームを受信するように構成された受信機は、少なくとも１つの受信アンテナを使用して１つのデータストリームを受信するように構成された回路を備える、（１８）に記載の装置。
（２７）各受信アンテナにおいて、前記受信された少なくとも１つのデータストリームを白色化して、白色化データストリームを取得するように構成された白色化回路をさらに備える、（２６）に記載の装置
（２８）前記復調するように構成された復調器は、前記第１の優先的対数尤度比（ＬＬＲ）のセットの一部、前記白色化データストリーム、および、前記チャネル行列のエントリを使用して復調するように構成された回路を備える、（２７）に記載の装置。
（２９）前記復号するように構成された復号器は、ターボ復号アルゴリズムに基づいて復号するように構成された回路を備える、（１８）に記載の装置。
（３０）前記ターボ復号の後に、前記送信ビットのシステマティックビットに関連したＬＬＲと、パリティビットに関連したＬＬＲとを、前記第２の外部ＬＬＲのセットから抽出するように構成された第１の回路と、
前記抽出されたシステマティックビットに関連したＬＬＲを使用して、前記復調のために前記第１の優先的ＬＬＲのセットを更新するように構成された第２の回路とをさらに備える、（２９）に記載の装置。
（３１）前記少なくとも１つのデータストリームを復調するように構成された復調器は、
少なくとも、前記受信された少なくとも１つのデータストリームの別のデータストリームからの干渉を含まない信号と、前記データストリームの第１の優先的ＬＬＲのセットとを利用して、前記受信された少なくとも１つのデータストリームのうちの１つのデータストリームのシンボルを、Ｍａｘ−Ｌｏｇ ＭＡＰ（ＭＬＭ）アルゴリズムに基づいて推定するように構成された推定器と、
前記送信ビットの推定値を、前記推定シンボルに基づいて取得するように構成された回路とを備える、（１８）に記載の装置。
（３２）前記少なくとも１つのデータストリームを復調するように構成された復調器は、
少なくとも、前記受信された少なくとも１つのデータストリームの別のデータストリームについて仮説を利用して、前記受信された少なくとも１つのデータストリームうちの１つのデータストリームのソフトシンボルを、線形最低二乗平均誤差（ＬＭＭＳＥ）アルゴリズムの簡略化バージョンに基づいて推定するように構成された推定器と、
前記データストリームの推定ソフトシンボルをスライシングして、前記送信ビットの推定値を取得するように構成されたスライサとを備え、
前記ＬＭＭＳＥアルゴリズムの簡略化は、前記推定ソフトシンボルのガウス分布によるものである、（１８）に記載の装置。
（３３）前記復調と前記復号との間の反復の回数を調整するように構成された回路を、前記少なくとも１つのデータストリームの送信ビットの数に基づいてさらに備える、（１８）に記載の装置。
（３４）前記復号の反復の回数を、前記少なくとも１つのデータストリームの送信ビットの数に基づいて調整するように構成された回路をさらに備える、（１８）に記載の装置。
（３５）無線通信のための装置であって、
少なくとも１つのデータストリームを受信するための手段と、ここで、前記少なくとも１つのデータストリームの各データストリームは、無線チャネルを通して送信されたものであり、
前記少なくとも１つのデータストリームの送信ビットの第１の優先的対数尤度比（ＬＬＲ）のセットと、チャネル行列とを使用して前記少なくとも１つのデータストリームを復調して、前記少なくとも１つのデータストリームの送信ビットの第１の外部ＬＬＲのセットを取得するための手段と、
前記第１の外部ＬＬＲのセットを処理して、復号のために第２の優先的ＬＬＲのセットを取得するための手段と、
前記第２の優先的ＬＬＲのセットを復号して、前記少なくとも１つのデータストリームの送信ビットの第２の外部ＬＬＲのセットを取得するための手段と、
前記第２の外部ＬＬＲのセットを処理して、前記復調のために前記第１の優先的ＬＬＲのセットを取得するための手段とを備える装置。
（３６）コンピュータ可読媒体を備える、無線通信のためのコンピュータプログラムプロダクトであって、前記コンピュータ可読媒体は、
少なくとも１つのデータストリームを受信することと、ここで、前記少なくとも１つのデータストリームの各データストリームは、無線チャネルを通して送信されたものであり、
前記少なくとも１つのデータストリームの送信ビットの第１の優先的対数尤度比（ＬＬＲ）のセットと、チャネル行列とを使用して前記少なくとも１つのデータストリームを復調して、前記少なくとも１つのデータストリームの送信ビットの第１の外部ＬＬＲのセットを取得することと、
前記第１の外部ＬＬＲのセットを処理して、復号のために第２の優先的ＬＬＲのセットを取得することと、
前記第２の優先的ＬＬＲのセットを復号して、前記少なくとも１つのデータストリームの送信ビットの第２の外部ＬＬＲのセットを取得することと、
前記第２の外部ＬＬＲのセットを処理して、前記復調のために前記第１の優先的ＬＬＲのセットを取得することとを実行可能な命令を備える、コンピュータプログラムプロダクト。
（３７）無線ノードあって、
少なくとも１つのアンテナと、
前記少なくとも１つのアンテナを介して、少なくとも１つのデータストリームを受信するように構成された受信機と、ここで、前記少なくとも１つのデータストリームの各データストリームは、無線チャネルを通して送信されたものであり、
前記少なくとも１つのデータストリームの送信ビットの第１の優先的対数尤度比（ＬＬＲ）のセットと、チャネル行列とを使用して前記少なくとも１つのデータストリームを復調して、前記少なくとも１つのデータストリームの送信ビットの第１の外部ＬＬＲのセットを取得するように構成された復調器と、
前記第１の外部ＬＬＲのセットを処理して、復号のために第２の優先的ＬＬＲのセットを取得するように構成された第１のプロセッサと、
前記第２の優先的ＬＬＲのセットを復号して、前記少なくとも１つのデータストリームの送信ビットの第２の外部ＬＬＲのセットを取得するように構成された復号器と、
前記第２の外部ＬＬＲのセットを処理して、前記復調のために前記第１の優先的ＬＬＲのセットを取得するように構成された第２のプロセッサとを備える無線ノード。
【図１】
0005579851.tif 000028
【図２】
0005579851.tif 000029
【図３】
0005579851.tif 000030
【図４】
0005579851.tif 000031
【図５】
0005579851.tif 000032
【図５Ａ】
0005579851.tif 000033
【図６】
0005579851.tif 000034